(57)【特許請求の範囲】
【請求項１】
画像Ａからある画素を中心にある一定の比率で縮小した画像Ｂを作成する画像縮小装置と，縮小された画像Ｂからある周波数成分Ａを取り出すフィルタＡと，画像Ａと周波数成分Ａを加算する加算器Ａを備え、画像Ａに縮小画像Ｂの周波数成分Ａを加算することを特徴とした画質改善装置。
【請求項２】
画像Ａからある周波数成分Ｂを取り出すフィルタＡと，周波数成分Ｂからなる画像からある画素を中心にある一定の比率で縮小した周波数成分Ｃからなる画像を作成する画像縮小装置と，画像Ａと縮小された周波数成分Ｃからなる画像を加算する加算器Ａを備え、画像Ａに画像Ａの周波数成分Ａの縮小画像である周波数成分Ｃからなる画像を加算することを特徴とした画質改善装置。
【請求項３】
請求項１記載の画質改善装置において、画像Ａに周波数成分Ａを加算すべき場所を特定する注目点検出装置と、周波数成分Ａを加算すべきレベルを調整するレベル調整器Ａを備え、請求項１記載の周波数成分Ａを上記レベル調整器Ａによって調整し周波数成分Ａ’とし，加算器Ａによって画像Ａに加算することを特徴とする画質改善装置。
【請求項４】
請求項２記載の画質改善装置において、画像Ａに周波数成分Ｃを加算すべき場所を特定する注目点検出装置と、周波数成分Ｃを加算すべきレベルを調整するレベル調整器Ａを備え、請求項２記載の周波数成分Ｃを上記レベル調整器Ａによって調整し周波数成分Ｃ’とし，加算器Ａによって画像Ａに加算することを特徴とする画質改善装置。
【発明の詳細な説明】
【０００１】
【発明の属する技術分野】
本発明は、拡大などされて高域成分が不足するディジタル映像信号の高域成分を付加し、画質を向上せしめる画質改善装置に関するものである。
【０００２】
【従来の技術】
近年、放送の多様化、ディスプレイデバイスの多様化によって、様々な画素構成の映像情報が存在する．この様々な映像情報をディスプレイデバイスの表示能力に合わせた画素構成の映像情報に変換し表示している。しかし、特に元の映像情報の画素構成よりも必要な画素構成が大きい場合、すなわち拡大変換する場合、映像が鈍るという問題があった。また、ハイビジョンなどの高精細画像のソースが増えてくる中で旧来の映像ソースを高精細の表示装置にて表示する際、拡大変換等により、画像が鈍るという問題があった。これを解決するため従来は、高周波成分を取り出し加算することで、高周波部分を強調することで映像の鈍りを抑えていた。
【０００３】
【発明が解決しようとする課題】
上記のような高周波成分を取り出し加算するだけでは、拡大後の画素数で表現できる最大周波数は付加することができないため、効果が限られていた。
【０００４】
【課題を解決するための手段】
上記課題を解決するために、本発明（請求項１）に係る画質改善装置は、画像縮小装置によってある画素を中心に縮小した画像Ｂを作成し，画像ＢからフィルタＡによって周波数成分Ａを取り出し，周波数成分Ａを元の画像Ａに加算する手段を備えたものである。
【０００５】
上記課題を解決するために、本発明（請求項２）に係る画質改善装置は、フィルタＡによって周波数成分Ｂを取り出し，周波数成分Ｂを画像縮小装置によってある画素を中心として縮小した周波数成分Ｃを作成し，周波数成分Ｃを元の画像Ａに加算する手段を備えたものである。
【０００６】
上記課題を解決するために、本発明（請求項３）に係る画質改善装置は、画像縮小装置によってある画素を中心に縮小した画像Ｂを作成し，画像ＢからフィルタＡによって周波数成分Ａを取り出し，注目点検出器Ａによって場所によるゲインＡを特定し，周波数成分ＡをゲインＡによって調整し周波数成分Ａ’を作成し，周波数成分Ａ’を元の画像Ａに加算する手段を備えたものである。
【０００７】
上記課題を解決するために、本発明（請求項４）に係る画質改善装置は、フィルタＡによって周波数成分Ｂを取り出し，周波数成分Ｂを画像縮小装置によってある画素を中心として縮小した周波数成分Ｃを作成し，注目点検出器Ａによって場所によるゲインＡを特定し，周波数成分ＣをゲインＡによって調整し周波数成分Ｃ’を作成し，周波数成分Ｃ’を元の画像Ａに加算する手段を備えたものである。
【０００８】
【発明の実施の形態】
（実施の形態１）
図１は、本発明の実施の形態１による画質改善装置の構成を説明するための図である。以下、図１を用いて上記画質改善装置の構成を説明する。
【０００９】
フィルタＡは画像Ａのある周波数成分Ｂを取り出す。ある周波数成分Ｂからなる画像のある画素を中心として画像縮小装置１によって周波数成分Ｃを作成する。この周波数成分Ｃは周波数成分Ｂからなる画像の画素数分存在する。
【００１０】
図２は画像Ａのある１次元方向（水平方向）の例である。周波数成分Ｂは，画像ＡのＨＰＦを取ったものである。周波数成分Ｃはある画素を中心に１９画素分を１／２に間引いてきたものである。例えば，周波数成分C(14)は，座標１４を中心に座標６，８，１０，１２，１４，１６，１８，２０，２２の周波数成分Bを持ってきたものである。ゲインＡは，注目点検出器５により選択された場所毎の周波数成分Ｃに対するゲインである。周波数成分Ｃ’はレベル調整器Ａによって周波数成分Ｃに対しゲインＡを掛け合わせたものである。周波数成分Ｃ’合計は画像Ａのある画素を見た時の周波数成分Ｃ’の総和である。画像Ｚは加算器Ａによって画像Ａと周波数成分Ｃ’を加算したものである。
【００１１】
図３は，画像Ａと周波数成分Ｃ’合計と画像Ｚをわかりやすいようにグラフ化したものである。
【００１２】
以上のように本発明の画質改善装置によれば，画像Ａのような鈍化した画像に対し画像Ｚのような高周波な画像にせしめる効果を有す。
【００１３】
（実施の形態２）
なお，図４のように画像縮小装置１とフィルタＡの順番が逆である場合も，画像Ａのある画素を中心として縮小した画像Ｂに対しフィルタＡによって周波数成分Ａを取り出すことにより，周波数成分Ａと周波数成分Ｂはほぼ等価な成分であり，同様な効果を有する。
【００１４】
また，上記実施の形態では1次元の処理であるが，2次元の処理でも同様の効果を得ることができる。
【００１５】
【発明の効果】
以上のように，本発明の請求項１に係る画質改善装置によれば，従来のように画像に対し高域の周波数成分を取り出し加算するだけでは得られない高周波成分を作り出すことが可能となり，これを画像に加算することにより，従来では得られない高周波成分を持った画像を作り出すことが可能となり画質が改善される。
【００１６】
また，本発明の請求項２に係る画質改善装置によれば，従来のように画像に対し高域の周波数成分を取り出し加算するだけでは得られない高周波成分を作り出すことが可能となり，これを画像に加算することにより，従来では得られない高周波成分を持った画像を作り出すことが可能となり画質が改善される。
【００１７】
また，本発明の請求項３に係る画質改善装置によれば，従来のように画像に対し高域の周波数成分を取り出し加算するだけでは得られない高周波成分を作り出すことが可能となり，さらに画像の注目点毎にゲイン調整を行い，画像に加算することにより，従来では得られない高周波成分を持った画像を作り出すことが可能となり画質が改善される。
【００１８】
また，本発明の請求項４に係る画質改善装置によれば，従来のように画像に対し高域の周波数成分を取り出し加算するだけでは得られない高周波成分を作り出すことが可能となり，さらに画像の注目点毎にゲイン調整を行い，画像に加算することにより，従来では得られない高周波成分を持った画像を作り出すことが可能となり画質が改善される。
【図面の簡単な説明】
【図１】本発明の実施の形態１の構成を示す図
【図２】本発明の実施の形態１の一例の表を示す図
【図３】本発明の実施の形態１の一例を示すグラフ
【図４】本発明の実施の形態２の構成を示す図
【符号の説明】
１  画像縮小装置
２  フィルタＡ
３  加算器Ａ
４  レベル調整期Ａ
５  注目点検出器
【図１】
0004483083.tif 000002
【図２】
0004483083.tif 000003
【図３】
0004483083.tif 000004
【図４】
0004483083.tif 000005